(57)【特許請求の範囲】
【請求項１】
移動通信端末を識別するための端末ＩＤと利用者を認証するための真パスワードとを組にして記憶させる記憶段階と、
仮パスワードを発行して、ある端末ＩＤに対応する移動通信端末に送信する送信段階と、
前記仮パスワードによりパスワードの更新が完了した旨の完了信号を前記移動通信端末から受信する完了信号受信段階と、
前記完了信号を受信した後に、記憶内容を参照して当該移動通信端末の端末ＩＤに対応する真パスワードを前記仮パスワードによって更新する更新段階と、
前記移動通信端末から送信された解錠するために必要な解錠情報を受信する解錠情報受信段階と、
前記受信された解錠情報に含まれる端末ＩＤとパスワードとの組み合わせが、前記記憶された組に含まれる正当な組み合わせであるか否かを判断する組合判断段階と、
前記判断において正当な組み合わせであると判断された場合に、錠をあける解錠段階と、
を備えることを特徴とする解錠方法。
【請求項２】
請求項１記載の解錠方法において、
前記移動通信端末の位置情報を受信する位置情報受信段階と、
前記受信した位置情報が、予め記憶されている位置情報に含まれるか否かを判断する位置判断段階を備え、
前記解錠段階は、前記組合判断段階において前記正当な組み合わせであると判断され、かつ、前記位置判断段階において前記位置情報に含まれると判断された場合に、錠をあけることを特徴とする解錠方法。
【請求項３】
請求項１記載の解錠方法において、
前記送信段階は、予め定められた発行期間ごとに仮パスワードを発行することを特徴とする解錠方法。
【請求項４】
請求項３記載の解錠方法において、
前記発行期間を変更するための変更情報をネットワークを介して受信する変更情報受信段階と、
前記変更情報に基づいて前記発行期間を変更する変更段階と、
を備えることを特徴とする解錠方法。
【請求項５】
外部の端末を識別するための端末ＩＤと利用者を認証するための真パスワードとを組にして記憶する記憶手段と、
仮パスワードを発行する発行手段と、
ある端末ＩＤに対応する外部の端末に送信する送信手段と、
前記仮パスワードによりパスワードの更新が完了した旨の完了信号を前記外部の端末から受信する完了信号受信手段と、
前記記憶内容を参照して当該外部の端末の端末ＩＤに対応する真パスワードを前記仮パスワードによって更新する更新段階と、
解錠するために必要な解錠情報を受信する解錠情報受信手段と、
前記受信された解錠情報に含まれる端末ＩＤとパスワードとの組み合わせが、前記記憶された組に含まれる正当な組み合わせであるか否かを判断する組合判断手段と、
前記外部の端末の位置情報を受信する位置情報受信手段と、
前記受信した位置情報が、予め記憶されている位置情報に含まれるか否かを判断する位置判断手段と、
前記組合判断手段によって正当な組み合わせであると判断された場合、かつ、前記位置判断手段によって前記位置情報に含まれると判断された場合に、錠をあける解錠手段と、
を備えることを特徴とする錠制御装置。
【請求項６】
請求項５記載の錠制御装置において、
前記送信手段は、予め定められた発行期間ごとに仮パスワードを発行することを特徴とする錠制御装置。
【請求項７】
請求項６記載の錠制御装置において、
前記発行期間を変更するための変更情報をネットワークを介して受信する変更情報受信手段と、
前記変更情報に基づいて前記発行期間を変更する変更手段と、
を備えることを特徴とする錠制御装置。
【発明の詳細な説明】
【０００１】
【発明が属する技術分野】
本発明は、解錠方法および錠制御装置に係り、特にドアなどに取り付けられた錠を解錠するための技術に関する。
【０００２】
【従来の技術】
従来、電子錠システムとして、錠の開閉を操作するための鍵装置から錠を備えた錠装置に対して錠の開閉を指示するための識別信号を送信する際に、電波あるいは赤外線等を用いて送信するものがある。そして、この電子錠システムでは、識別信号を受信した錠装置が当該識別信号に基づいて錠の開閉を行っている。
【０００３】
【発明が解決しようとする課題】
ところで、従来の電子錠システムにおいては、鍵装置からは常に同じ識別信号が送信されるため、識別信号を含む電波が傍受されたときには、この識別信号が簡単に盗まれてしまうという問題があった。また、赤外線を用いて識別信号を送信する場合には、いわゆる学習リモコンを利用することにより簡単にこの識別信号をコピーされてしまうという問題があった。
そこで、本発明は、上述した事情に鑑みてなされたものであり、よりセキュリティ効果の高い解錠方法および錠制御装置を提供することを目的とする。
【０００４】
【課題を解決するための手段】
上述した課題を解決するため、本発明に係る解錠方法は、移動通信端末を識別するための端末ＩＤと利用者を認証するための真パスワードとを組にして記憶させる記憶段階と、仮パスワードを発行して、ある端末ＩＤに対応する移動通信端末に送信する送信段階と、前記仮パスワードによりパスワードの更新が完了した旨の完了信号を前記移動通信端末から受信する完了信号受信段階と、前記完了信号を受信した後に、記憶内容を参照して当該移動通信端末の端末ＩＤに対応する真パスワードを前記仮パスワードによって更新する更新段階と、前記移動通信端末から送信された解錠するために必要な解錠情報を受信する解錠情報受信段階と、前記受信された解錠情報に含まれる端末ＩＤとパスワードとの組み合わせが、前記記憶された組に含まれる正当な組み合わせであるか否かを判断する組合判断段階と、前記判断において正当な組み合わせであると判断された場合に、錠をあける解錠段階とを備えることを特徴としている。
【０００５】
この構成によると、移動通信端末を識別するための端末ＩＤと利用者を認証するための真パスワードとを組にして記憶させ、仮パスワードを送信した移動通信端末から当該仮パスワードによる更新が完了した旨の完了信号を受信した後に、当該移動通信端末の端末ＩＤに対応する真パスワードを仮パスワードによって更新する。これにより、移動通信端末から送信された端末ＩＤとパスワードとの組み合わせが、記憶された組に含まれる正当な組み合わせであると判断された場合に、錠をあけることが可能になる。
【０００６】
また、本発明に係る錠制御装置は、外部の端末を識別するための端末ＩＤと利用者を認証するための真パスワードとを組にして記憶する記憶手段と、仮パスワードを発行する発行手段と、ある端末ＩＤに対応する外部の端末に送信する送信手段と、前記仮パスワードによりパスワードの更新が完了した旨の完了信号を前記外部の端末から受信する完了信号受信手段と、前記記憶内容を参照して当該外部の端末の端末ＩＤに対応する真パスワードを前記仮パスワードによって更新する更新段階と、解錠するために必要な解錠情報を受信する解錠情報受信手段と、前記受信された解錠情報に含まれる端末ＩＤとパスワードとの組み合わせが、前記記憶された組に含まれる正当な組み合わせであるか否かを判断する組合判断手段と、前記外部の端末の位置情報を受信する位置情報受信手段と、前記受信した位置情報が、予め記憶されている位置情報に含まれるか否かを判断する位置判断手段と、前記組合判断手段によって正当な組み合わせであると判断された場合、かつ、前記位置判断手段によって前記位置情報に含まれると判断された場合に、錠をあける解錠手段とを備えることを特徴としている。
【０００７】
この構成によると、移動通信端末を識別するための端末ＩＤと利用者を認証するための真パスワードとを組にして記憶させ、仮パスワードを送信した移動通信端末から当該仮パスワードによる更新が完了した旨の完了信号を受信した後に、当該移動通信端末の端末ＩＤに対応する真パスワードを仮パスワードによって更新する。また、解錠することができる位置情報を予め記憶させ、解錠しようとする移動通信端末の位置情報を受信する。これらにより、移動通信端末から送信された端末ＩＤとパスワードとの組み合わせが、記憶された組に含まれる正当な組み合わせであると判断され、かつ、前記受信した位置情報が、予め記憶されている位置情報に含まれると判断された場合に、錠をあけることが可能になる。
【０００８】
【発明の実施の形態】
次に、図面を参照して本発明の好適な実施形態について説明する。
［１．実施形態の構成］
［１−１．電子錠システムの構成］
図１に、本発明の実施形態に係る電子錠システム１の概要構成を示す。
図１に示す電子錠システム１は、例えば、玄関のドア等に設置され、ドアの施錠／解錠を実行する錠制御装置１０と、この錠制御装置１０に施錠／解錠の指示を与え、鍵としての役割を担う携帯電話機２０とを備えている。通常、錠制御装置１０はドアごとに設置され、携帯電話機２０は利用者ごとに所持される。
本実施形態においては、説明を簡略化するために、一の利用者が所有する一の携帯電話機２０により一の錠制御装置１０を制御する際の形態について説明する。
【０００９】
ここで、このシステムの利用者は、解錠させる場合に、携帯電話機２０から錠制御装置１０に対して解錠パスワードを送信することが条件となる。この解錠パスワードは、錠制御装置１０に登録された携帯電話機２０であるか否かを認証するために用いられるものである。したがって、解錠パスワードが第三者に知られてしまった場合には、この第三者により解錠されてしまうおそれがある。このため、本実施形態に係る錠制御装置１０は、解錠パスワードを所定の期間ごとに発行し、この発行した解錠パスワードを含んだメール（以下、ＰＷ送信メールと記載する。）を携帯電話機２０に送信することにより、解錠パスワードを定期的に更新させている。
【００１０】
ところで、錠制御装置１０からＰＷ送信メールを定期的に送信しても、ＰＷ送信メールが携帯電話機２０に届かない場合や、届いたＰＷ送信メールが開かれない場合には、利用者は解錠パスワードが更新されたことを認識することができず、解錠することができなくなってしまう。
そこで、錠制御装置１０では、解錠パスワードの更新が完了した旨を含むメール（以下、返答メールと記載する。）を携帯電話機２０から受信した場合に、錠制御装置１０で記憶している解錠パスワードを更新することとする。
以下の説明では、錠制御装置１０により発行されてから携帯電話機２０または錠制御装置１０において更新されるまでの解錠パスワードを仮解錠パスワードＫＰＷと称し、携帯電話機２０または錠制御装置１０において記憶されている解錠パスワードを真解錠パスワードＳＰＷと称する。
【００１１】
図１に示す錠制御装置１０は、携帯電話機２０から受信した真解錠パスワードＳＰＷに基づいて解錠しようとする利用者の認証を行う。また、錠制御装置１０は、メールの送受信機能を有している。
携帯電話機２０は、錠制御装置１０から受信したＰＷ送信メールに含まれる仮解錠パスワードＫＰＷを真解錠パスワードＳＰＷとして記憶し、解錠する際に真解錠パスワードＳＰＷを錠制御装置１０に送信する。携帯電話機２０は、メールの送受信機能を有しており、受信メールおよび送信メールを表示部に表示させることが可能である。
移動通信網３０は、メールサーバ３４と、複数の交換機３２を接続する交換ネットワーク３３と、各交換機３２に接続する複数の基地局３１とを備えている。この移動通信網３０は、当該移動通信網３０の通信サービスエリア内に在圏する錠制御装置１０あるいは携帯電話機２０等に対してパケット通信サービスおよび通話サービスを提供するものである。
【００１２】
各基地局３１は、移動通信網３０の通信サービスエリア内に多数設置されており、各々の無線エリアに在圏する携帯電話機２０と無線通信を行う。
各交換機４２は、当該交換機４２に接続された各基地局４１がカバーする無線エリア内に在圏する錠制御装置１０あるいは携帯電話機２０等からの発呼要求や錠制御装置１０あるいは携帯電話機２０等に対する着呼要求に応じて、呼接続処理などを行う。
メールサーバ３４は、移動通信網３０を介して行われるメールの送受信を制御するサーバ装置である。
【００１３】
［１−２．錠制御装置の構成］
次に、図２を参照して錠制御装置１０のハードウェア構成を説明する。
ＣＰＵ（Ｃｅｎｔｒａｌ  Ｐｒｏｃｅｓｓｉｎｇ  Ｕｎｉｔ）１１は、メモリ１２に格納されている各種プログラムを実行することにより、バス１８を介して接続されている装置各部を制御する。また、ＣＰＵ１１は仮解錠パスワードＫＰＷの発行を行う。
無線通信装置１３は、アンテナ１３１を備えており、ＣＰＵ１１による制御の下、呼の接続／切断処理などの通信処理を行う。また、無線通信装置１３には、無線通信を行う際に使用される電話番号が付与されている。
錠駆動装置１４は、ＣＰＵ１１による制御の下、錠１５を駆動させて施錠／解錠させる。
【００１４】
メモリ１２には、解錠情報格納領域１２１と位置情報格納領域１２２とが設定されている。
図３に、錠制御装置１０の解錠情報格納領域１２１に格納される情報を示す概念図を示す。解錠情報格納領域１２１には、解錠情報が記憶される。解錠情報は、携帯ＩＤ情報１２１ａと解錠パスワード情報１２１ｂと発行期間情報１２１ｃと発行日情報１２１ｄとの組を含む。
携帯ＩＤ情報１２１ａは、錠制御装置１０を制御可能な携帯電話機２０を一意に特定する情報である。本実施形態においては、携帯ＩＤ情報として携帯電話機２０の電話番号を用いる。この携帯ＩＤ情報は、利用者が錠制御装置１０の操作部１６を操作することにより登録される。
【００１５】
解錠パスワード情報１２１ｂは、解錠する際の認証に用いる真解錠パスワードＳＰＷを示す。ところで、上述したようにＣＰＵ１１は、仮解錠パスワードＫＰＷの発行を行うが、仮解錠パスワードＫＰＷが直ちに真解錠パスワードＳＰＷに反映されることはない。本実施形態においては、携帯電話機２０から返答メールを受信したことを条件にして仮解錠パスワードＫＰＷを解錠パスワード情報１２１ｂに反映させている。これにより、真解錠パスワードＳＰＷの更新が行われる。
【００１６】
発行期間情報１２１ｃは、錠制御装置１０で仮解錠パスワードＫＰＷ発行してから、次に仮解錠パスワードＫＰＷを発行するまでの期間を示す。具体的に説明すると、例えば、発行期間情報として、“５日”が記憶されている場合に、錠制御装置１０は、５日おきに携帯電話機２０に対して仮解錠パスワードＫＰＷを発行することになる。この発行期間情報１２１ｃに格納される発行期間は、利用者が錠制御装置１０の操作部１６を操作することにより登録・変更される。
発行日情報１２１ｄは、仮解錠パスワードＫＰＷを発行したときの日付および時刻を示す。
【００１７】
また、錠制御装置１０の位置情報格納領域１２２は、錠制御装置１０が在圏している基地局３１を一意に特定するための基地局ＩＤを格納する領域である。この基地局ＩＤは、錠制御装置１０が存在する位置を認識するための位置情報として用いられるものである。基地局ＩＤは、錠制御装置１０が他の基地局３１がカバーする無線エリア内に移動させられた場合や、基地局３１が新設される等して錠制御装置１０をカバーする基地局３１が変わった場合等に新たな基地局ＩＤに更新される。また、基地局ＩＤは、基地局３１と錠制御装置１０の無線通信装置１３との間で間欠的に送受信される制御信号に含まれている。ここでいう制御信号は、基地局３１と錠制御装置１０の無線通信装置１３との間で制御チャネル（ＣＣＨ）を利用して間欠的に送受信される無線信号であり、位置登録を含む各種制御用の信号や情報などを送受信するために用いられるものである。
【００１８】
［１−３．携帯電話機の構成］
次に、図４を参照して携帯電話機２０のハードウェア構成を説明する。
携帯電話機２０に備えられる操作部２７は、ユーザの操作状態に対応した信号を出力し、ＣＰＵ２１に供給する。ＣＰＵ２１は、ＲＯＭ２２、ＲＡＭ２３あるいは不揮発性メモリ２４に格納されている各種プログラムを実行することにより、操作部２７からの操作信号に対応する制御をバス２９を介して接続されている装置各部に対して行う。
ＲＯＭ２２には、ＣＰＵ２１によって実行される各種制御用のプログラムおよび制御データなどが格納されており、ＲＡＭ２３は、ＣＰＵ２１のワークエリアとして用いられる。
【００１９】
不揮発性メモリ２４には、解錠パスワード格納領域２４１と位置情報格納領域２４２とプログラム格納領域２４３が設定されている。なお、不揮発性メモリ２４としては、例えば、ＥＰＲＯＭ（Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、フラッシュＥＥＰＲＯＭ（Ｆｌａｓｈ  Ｅｌｅｃｔｒｉｃａｌｌｙ  ＥＰＲＯＭ）がある。
携帯電話機２０の解錠パスワード格納領域２４１は、錠制御装置１０で解錠する際の認証に用いられる真解錠パスワードＳＰＷを格納する領域である。
【００２０】
また、携帯電話機２０の位置情報格納領域２４２は、携帯電話機２０が在圏している基地局３１を一意に特定するための基地局ＩＤを格納する領域である。この基地局ＩＤは、携帯電話機２０が存在する位置を認識するための位置情報として用いられるものであり、携帯電話機２０が他の基地局３１がカバーする無線エリア内に移動させられた場合に新たな基地局ＩＤに更新される。また、この基地局ＩＤは、基地局３１と携帯電話機２０との間で間欠的に送受信される制御信号に含まれている。ここでいう制御信号は、基地局３１と携帯電話機２０との間で制御チャネル（ＣＣＨ）を利用して間欠的に送受信される無線信号であり、位置登録を含む各種制御用の信号や情報などを送受信するために用いられるものである。
【００２１】
プログラム格納領域２４３は、解錠パスワードを取り扱うときなどに携帯電話機２０で実行されるアプリケーションプログラムを格納する領域である。このアプリケーションプログラムとしては、例えば、メーラーと連携して実行される返答メール生成プログラムがある。この返答メール生成プログラムをインストールすると、起動用のアイコンがメーラーのツールボックス内に表示される。利用者がＰＷ送信メールをメーラー上で開いてからこのアイコンを選択して確定すると、返答メール生成プログラムが起動する。返答メール生成プログラムは、まず、ＰＷ送信メールに含まれる仮解錠パスワードＫＰＷを真解錠パスワードＳＰＷとして携帯電話機２０の解錠パスワード格納領域２４１に格納させる。次に、返答メール生成プログラムは、錠制御装置１０宛に返答メールを生成して送信させる。
【００２２】
無線通信部２５は、アンテナ２５１を備えている。そして、無線通信部２５は、ＣＰＵ２１の制御にもとづいて、移動通信網３０の基地局との間で無線データ通信を行う。通信処理部２６は、ＣＰＵ２２の制御にもとづいて、呼の接続／切断処理などの通信処理を行う。
【００２３】
［２．実施形態の動作］
［２−１．解錠パスワードの自動更新処理］
次に、図５を参照して上述した電子錠システム１において使用される真解錠パスワードＳＰＷを、所定の期間ごとに更新させる自動更新処理について説明する。
まず、錠制御装置１０のＣＰＵ１１は、解錠情報格納領域１２１の発行期間情報１２１ｃに格納されている発行期間と、発行日情報１２１ｄに格納されている発行日とに基づいて、仮解錠パスワードＫＰＷの発行時期であるか否かを判断する（ステップＳ１）。図３を参照して具体的に説明すると、例えば、発行期間が“５日”に設定され、発行日が“２０００．５．２３  １８：３６”である場合には、錠制御装置１０のコンピュータ日付および時刻が“２０００．５．２８  １８：３６”になった場合に、ＣＰＵ１１は仮解錠パスワードＫＰＷの発行時期であると判断する。
【００２４】
ステップＳ１の判断において仮解錠パスワードＫＰＷの発行時期ではないと判断された場合に（ステップＳ１；ＮＯ）、錠制御装置１０のＣＰＵ１１は、ステップＳ１の処理を繰り返す。
一方、ステップＳ１の判断において仮解錠パスワードＫＰＷの発行時期であると判断された場合に（ステップＳ１；ＹＥＳ）、錠制御装置１０のＣＰＵ１１は、仮解錠パスワードＫＰＷを発行し（ステップＳ２）、この発行した仮解錠パスワードＫＰＷを含むＰＷ送信メールを生成する（ステップＳ３）。
次に、錠制御装置１０のＣＰＵ１１は、ＰＷ送信メールを錠制御装置１０の携帯ＩＤ情報１２１ａに格納された電話番号に対応するメールアドレス宛に送信する（ステップＳ４）。なお、本実施形態におけるメールアドレスの形式は、例えば、“電話番号＠ドメイン名”とする。
【００２５】
ここで、図３を参照してステップＳ４の時点における仮解錠パスワードＫＰＷと真解錠パスワードＳＰＷとの関係を説明すると、例えば、ステップＳ３で仮解錠パスワードＫＰＷとして“ｋｚ２５ｒａ７ｆ”が発行された場合であっても、この時点では解錠パスワード情報１２１ｂに反映されない。したがって、解錠パスワード情報１２１ｂである“ｈ８ｓｉ２ｑｗｅ”が、真解錠パスワードＳＰＷとしてそのまま継続して認証に用いられる。すなわち、この時点において携帯電話機２０から解錠指示が送信された場合には、真解錠パスワードＳＰＷである“３ｈｅ６ｓ９ｗｂ”が認証用のパスワードとして用いられることになる。
【００２６】
次に、鍵制御装置１０から送信されたＰＷ送信メールは、一旦、メールサーバ３４に受信され、その直後に当該メールサーバ３４によって携帯電話機２０に送信される。なお、携帯電話機２０が電波の届かない場所に位置している場合や、携帯電話機２０の電源がＯＦＦになっている場合には、メールサーバ３４は、当該携帯電話機２０に対してＰＷ送信メールを送信することができない。このような場合には、例えば、携帯電話機２０を所持している利用者が電波の届く場所に移動したり、携帯電話機２０の電源が投入された後に、利用者によって行われるメールの受信操作によって、メールサーバ３４からＰＷ送信メールを受信するようにすればよい。
【００２７】
ＰＷ送信メールを受信した携帯電話機２０の所有者が、受信したＰＷ送信メールをメーラー上で開いて返答メール生成プログラムを起動させるアイコンを選択して確定すると、携帯電話機２０のＣＰＵ２１は、返答メール生成プログラムを起動する。携帯電話機２０のＣＰＵ２１は、返答メール生成プログラムにしたがって、まず、ＰＷ送信メールに含まれる仮解錠パスワードＫＰＷを真解錠パスワードＳＰＷとしてパスワード格納領域２４１に格納して真解錠パスワードＳＰＷを更新させる（ステップＳ５）。
【００２８】
次に、真解錠パスワードＳＰＷを更新した携帯電話機２０のＣＰＵ２１は、錠制御装置１０宛に返答メールを生成して送信する（ステップＳ６）。これにより、この返答メールは、上述したメールサーバ３４を介して錠制御装置１０に送信される。
返答メールを受信した錠制御装置１０は、今回発行した仮解錠パスワードＫＰＷにより解錠パスワード情報１２１ｂに格納されている解錠パスワードを更新するとともに、返答メールに含まれるメールの送信日付および送信時刻に基づいて発行日情報１２１ｃに格納されている発行日を更新する（ステップＳ７）。
これにより、図３に示される解錠パスワード情報１２１ｂに格納されている“ｈ８ｓｉ２ｑｗｅ”が、ステップＳ３で発行された仮解錠パスワードＫＰＷである“ｋｚ２５ｒａ７ｆ”により更新されるため、これ以降は、“ｋｚ２５ｒａ７ｆ”が真パスワードとして解錠の際の認証に用いられるようになる。
その後、錠制御装置１０のＣＰＵ１１は、上述したステップＳ１以降の処理を繰り返すことにより真解錠パスワードＳＰＷを所定の期間ごとに更新させる自動更新処理を実行する。
【００２９】
［２−２．解錠時の処理］
次に、図６を参照して上述した電子錠システムにおいて行われる解錠する際に行われる処理について、利用者宅の玄関のドアに取り付けられた錠制御装置１０を例にして説明する。
まず、利用者が携帯電話機２０の操作部２７を操作して錠制御装置１０に割り当てられた電話番号を入力すると、移動通信網３０から、入力された電話番号に対応する錠制御装置１０に対して応答を促すための呼び出し信号が送信される（ステップＳ１１）。
呼び出し信号に応答した錠制御装置１０の無線通信装置１３は、ＣＰＵ１１の制御の下、移動通信網３０に応答信号を送信する（ステップＳ１２）。応答信号を受信した移動通信網３０では、携帯電話機２０と錠制御装置１０との間に通信路を確立する。これにより、携帯電話機２０と錠制御装置１０との間で通信が可能な状態になる。
【００３０】
次に、錠制御装置１０のＣＰＵ１１は、携帯電話機２０から発信者番号として受信した当該携帯電話機２０の電話番号が、錠制御装置１０の携帯ＩＤ情報１２１ａに登録されているか否かを判断する（ステップＳ１３）。
ステップＳ１３の判断において携帯電話機２０の電話番号が携帯ＩＤ情報１２１ａに登録されていないと判断された場合に（ステップＳ１３；ＮＯ）、錠制御装置１０のＣＰＵ１１は、このシステムを利用できない旨の音声メッセージを携帯電話機２０に送信する（ステップＳ１４）。
一方、ステップＳ１３の判断において携帯電話機２０の電話番号が携帯ＩＤ情報１２１ａに登録されていると判断された場合に（ステップＳ１３；ＹＥＳ）、錠制御装置１０のＣＰＵ１１は、施錠／解錠のいずれかを指示するように要求する旨の音声メッセージを携帯電話機２０に送信する（ステップＳ１５）。
【００３１】
利用者が解錠を指示するために携帯電話機２０の操作部２７を操作して解錠指示を入力すると、携帯電話機２０のＣＰＵ２１は、解錠を指示する信号を錠制御装置１０に送信するとともに、携帯電話機２０の位置情報格納領域２４２に格納されている基地局ＩＤを錠制御装置１０に送信する（ステップＳ１６）。
錠制御装置１０のＣＰＵ１１は、携帯電話機２０から受信した基地局ＩＤが、錠制御装置１０の位置情報格納領域１２２に格納されている基地局ＩＤに一致しているか否かを判断する（ステップＳ１７）。
ステップＳ１７の判断において両基地局ＩＤが不一致であると判断された場合に（ステップＳ１７；ＮＯ）、錠制御装置１０のＣＰＵ１１は、このシステムを利用できない旨の音声メッセージを携帯電話機２０に送信する（ステップＳ１８）。
一方、ステップＳ１７の判断において両基地局ＩＤが一致すると判断された場合に（ステップＳ１７；ＹＥＳ）、錠制御装置１０のＣＰＵ１１は、真解錠パスワードＳＰＷを送信するように要求する旨の音声メッセージを携帯電話機２０に送信する（ステップＳ１９）。これにより、錠制御装置１０が在圏している基地局３１と同一の基地局に携帯電話機２０が在圏している場合にのみ解錠することが可能となり、錠制御装置１０から遠方にある携帯電話機２０により間違って解錠されてしまう事態を防止することが可能になる。
【００３２】
真解錠パスワードＳＰＷを送信するように要求された利用者が携帯電話機２０の操作部２７を操作して解錠パスワードの送信指示を入力すると、携帯電話機２０のＣＰＵ２１は、携帯電話機２０の解錠パスワード格納領域２４１に格納された真解錠パスワードＳＰＷをＰＢ信号（ダイアルパルス信号）に変換して錠制御装置１０に送信する（ステップＳ２０）。
真解錠パスワードＳＰＷを受信した錠制御装置１０のＣＰＵ１１は、受信した真解錠パスワードＳＰＷと、錠制御装置１０の解錠パスワード情報１２１ｂに格納されている真解錠パスワードＳＰＷとが一致するか否かを判断する（ステップＳ２１）。
【００３３】
ステップＳ２１の判断において、両真解錠パスワードＳＰＷが不一致であると判断された場合に（ステップＳ２１；ＮＯ）、錠制御装置１０のＣＰＵ１１は、利用できない解錠パスワードである旨の音声メッセージを携帯電話機２０に送信する（ステップＳ２２）。
一方、ステップＳ２１の判断において、両真解錠パスワードＳＰＷが一致すると判断された場合に（ステップＳ２１；ＹＥＳ）、錠制御装置１０のＣＰＵ１１は、解錠処理を実行して錠駆動装置１４を駆動させ、錠１５を解放状態にする（ステップＳ２３）。
そして、錠制御装置１０は、当該錠制御装置１０と携帯電話機２０との間に確立された通信路を切断させるために、移動通信網３０に切断信号を送信する（ステップＳ２４）。
【００３４】
ここで、上述したステップＳ１５で、錠制御装置１０から送信された施錠／解錠のいずれかを指示するように要求する旨の音声メッセージを受信した携帯電話機２０において、この携帯電話機２０を操作している利用者が、施錠を指示した場合には、携帯電話機２０から移動通信網３０を介して錠制御装置１０に施錠を指示する信号が送信される。そして、施錠を指示する信号を受信した錠制御装置１０のＣＰＵ１１は、錠駆動装置１４を駆動させ、錠１５をロック状態にする。
【００３５】
［３．実施形態の効果］
上述したように、実施形態に係る電子錠システムにおいては、利用者が所有する携帯電話機２０に対して所定の期間ごとに仮解錠パスワードＫＰＷを発行することにより真解錠パスワードＳＰＷを更新しているため、最新の真解錠パスワードＳＰＷを知り得ない限り解錠することができない。したがって、利用者以外による解錠を防止することが可能となり、よりセキュリティを向上することができる。
【００３６】
［４．実施形態の変形例］
［４−１．第１変形例］
なお、上述した実施形態においては、携帯電話機２０から錠制御装置１０に真解錠パスワードＳＰＷを送信する際に、利用者が携帯電話機２０の操作部２７を操作して真解錠パスワードＳＰＷを送信しているが、真解錠パスワードＳＰＷの送信方法はこれに限られない。例えば、携帯電話機２０および錠制御装置１０の双方に赤外線通信インターフェースを備え、赤外線通信により携帯電話機２０に格納されている真解錠パスワードＳＰＷを錠制御装置１０に送信するようにしてもよい。
また、例えば、錠制御装置１０にキー入力装置を備え、このキー入力装置に設けられた各キーを押すことにより真解錠パスワードＳＰＷを入力するようにしてもよい。
【００３７】
［４−２．第２変形例］
また、上述した実施形態においては、錠制御装置１０は、携帯電話機２０から送信された基地局ＩＤに基づいて携帯電話機２０が存在している位置を判断しているが、携帯電話機２０の位置を判断する方法は、これに限られない。例えば、移動通信網３０内で携帯電話機２０の位置を把握するために行われている位置登録処理により管理されている位置情報（例えば、携帯電話機の電話番号と当該携帯電話機が在圏している基地局ＩＤ）を用いて携帯電話機２０の位置を判断するようにしてもよい。具体的に説明すると、例えば、錠制御装置１０が、携帯電話機２０から解錠を指示する信号を受信した場合に、当該携帯電話機２０の電話番号を移動通信網３０内の交換機３２に送信する。交換機３２では、受信した電話番号に基づいて上述した位置情報を参照し、当該電話番号に対応する携帯電話機が在圏している基地局ＩＤを取得するようにしてもよい。
【００３８】
また、例えば、携帯電話機２０にＧＰＳ（Ｇｌｏｂａｌ  Ｐｏｓｉｔｉｏｎｉｎｇ  Ｓｙｓｔｅｍ）受信装置を備え、このＧＰＳ受信装置おいて、ＧＰＳから受信した電波に基づいて測定された位置情報（例えば、緯度／経度）を解錠を指示する信号とともに錠制御装置１０に送信するようにしてもよい。この場合には、錠制御装置１０にも、ＧＰＳ受信装置を備え、錠制御装置１０の位置情報（例えば、緯度／経度）を測定することが好ましい。ただし、錠制御装置１０が固定した位置に設置される場合には、予め測定された位置情報（例えば、緯度／経度）を記憶していればよい。また、必ずしも携帯電話機２０の位置を判断して解錠できるか否かの判断を行う必要はなく、錠制御装置１０から遠方に位置する携帯電話機２０から解錠できるようにしてもよい。
【００３９】
［４−３．第３変形例］
また、上述した実施形態においては、錠制御装置１０の解錠パスワード情報１２１ｂに格納される真解錠パスワードＳＰＷの更新タイミングとして携帯電話機２０から真解錠パスワードＳＰＷの更新が完了した旨の返答メールを受信してから更新しているが、更新のタイミングはこれに限られない。例えば、携帯電話機２０に仮解錠パスワードＫＰＷを含むＰＷ送信メールを送信した後に更新するようにしてもよい。
【００４０】
［４−４．第４変形例］
また、上述した実施形態においては、携帯電話機２０が１台の場合について説明しているが、錠制御装置１０を制御する携帯電話機２０が複数台ある場合に適用することも可能である。
錠制御装置１０を制御する携帯電話機２０が複数台ある場合には、例えば、解錠情報格納領域１２１に格納される解錠情報を携帯電話機２０ごとに生成し、それぞれの携帯電話機の電話番号を携帯ＩＤ情報１２１ａに登録すればよい。これにより、それぞれの携帯電話機２０に対してそれぞれ別個に発行された仮解錠パスワードＫＰＷが送信されるようになり、解錠時の処理についても携帯電話機２０が１台の場合と同様に行うことができる。
【００４１】
［４−５．第５変形例］
また、上述した実施形態においては、錠制御装置１０が１台の場合について説明しているが、携帯電話機２０から操作する錠制御装置１０が複数台ある場合に適用することも可能である。
携帯電話機２０から操作する錠制御装置１０が複数台ある場合には、例えば、携帯電話機２０の解錠パスワード格納領域２４１に格納される真解錠パスワードＳＰＷに対応付けて錠制御装置１０の無線通信装置１３に付与された電話番号を登録すればよい。これにより、携帯電話機２０において各錠制御装置１０に送信する真解錠パスワードＳＰＷがどの携帯電話機２０から送信されたものであるかを判別することが可能になり、錠制御装置１０が１台の場合と同様に解錠することができる。
【００４２】
［４−６．第６変形例］
また、上述した実施形態においては、錠制御装置１０に施錠／解錠指示を与える端末として携帯電話機２０を用いているが、これに限定されない。例えば、移動通信網３０の基地局３１との間で無線通信を行う機能を有する簡易型携帯電話機、および携帯電話機や簡易型携帯電話機に接続された携帯型情報端末などを通信端末として利用してもよい。
【００４３】
【発明の効果】
上述したように本発明によれば、よりセキュリティ効果の高い解錠方法および錠制御装置を提供することができる。
【図面の簡単な説明】
【図１】実施形態に係る電子錠システムの概要構成を示す図である。
【図２】図１に示す錠制御装置のハードウェア構成を示すブロック図である。
【図３】図２に示す解錠情報格納領域の記憶内容を示す概念図である。
【図４】図１に示す携帯電話機のハードウェア構成を示すブロック図である。
【図５】実施形態に係る電子錠システムの動作例を示すシーケンスチャートである。
【図６】実施形態に係る電子錠システムの動作例を示すシーケンスチャートである。
【符号の説明】
１０…錠制御装置、
１１…ＣＰＵ（発行手段、送信手段、完了信号受信手段、更新段階、解錠情報受信手段、組合判断手段、位置情報受信手段、位置判断手段、解錠手段、変更情報受信手段、変更手段）、
１２…メモリ（記憶手段）、
１２１…解錠情報格納領域、
１２２…位置情報格納領域、
１３…無線通信部、
１４…錠駆動装置、
１５…錠、
１６…操作部、
１７…表示部、
２０…携帯電話機置、
２１…ＣＰＵ、
２２…ＲＯＭ、
２３…ＲＡＭ、
２４…不揮発性メモリ、
２４１…解錠パスワード格納領域、
２４２…位置情報格納領域、
２４３…プログラム格納領域、
２５…無線通信部、
２６…通信処理部、
２７…操作部、
２８…表示部、
３０…移動通信網、
３１…基地局、
３２…交換機、
３３…交換ネットワーク、
３４…メールサーバ。
【図１】
0003580788.tif 000002
【図２】
0003580788.tif 000003
【図３】
0003580788.tif 000004
【図４】
0003580788.tif 000005
【図５】
0003580788.tif 000006
【図６】
0003580788.tif 000007